(57)【要約】      （修正有）【課題】風向変更手段が一定の速度で回動させ、室内へ均一に送風する。【解決手段】送風口から上方へ伸びる筒形状である開口縁部に対向するように設けた取付孔１６と、送風口の上方を、覆った回動自在な風向変更手段と、風向変更手段の往復回動を行う駆動手段と、取付孔１６に回動自在に装着可能であると共に、駆動手段と風向変更手段とを連結可能な連結部１８と、この連結部１８と開口縁部とに固定可能なバネ部１９とからなり、風向変更手段は、板形状のルーバ部２０と、このルーバ部２０の本体ケースにおける背面側寄りの左右側面側から水平外方へ伸びると共に、連結部１８に連結可能な複数のルーバ軸部２１とからなり、このルーバ部２０は、送風手段による送風口からの送風とバネ部１９によって常に上方向へ回動するように付勢される。【選択図】図５
2014190609.tif 000002
【特許請求の範囲】
【請求項１】
上方に開口する送風口を有する本体ケースと、この本体ケース内に設けた空気調和手段と送風手段と、前記送風口から上方へ伸びる筒形状である開口縁部と、この開口縁部に対向するように設けた複数の円形の孔である取付孔と、前記送風口の上方を、所定間隔をおいて覆った回動自在な風向変更手段と、前記風向変更手段の前記本体ケースにおける前面側が上下方向に移動するように往復回動を行う駆動手段と、前記取付孔に回動自在に装着可能であると共に、前記駆動手段と前記風向変更手段とを連結可能な連結部と、この連結部と前記開口縁部とに固定可能なバネ部とからなり、前記風向変更手段は、板形状のルーバ部と、このルーバ部の前記本体ケースにおける背面側寄りの左右側面側から水平外方へ伸びると共に、前記連結部に連結可能な複数のルーバ軸部とからなり、このルーバ部は、前記送風手段による前記送風口からの送風と前記バネ部によって常に上方向へ回動するように付勢されることを特徴とする空気調和装置。
【請求項２】
前記駆動手段は、駆動部と、この駆動部から伸びた駆動軸部とからなり、前記連結部は、前記駆動手段の駆動軸部と前記風向変更手段の一方側の前記ルーバ軸部とを連結可能であると共に、前記バネ部を固定できる連結側バネ固定部分を有し、前記開口縁部の外周面には、前記バネ部を固定できる開口縁側バネ固定部分と、前記駆動部を固定する駆動固定部分とを備えたことを特徴とする請求項１に記載の空気調和装置。
【請求項３】
前記連結部は、前記バネ部を前記連結側バネ固定部分に固定した状態で前記開口縁部の外面側から前記取付孔へ挿入可能で、前記バネ部は、前記連結側バネ固定部分に固定した状態で前記開口縁部の外面側から前記開口縁側バネ固定部分へ固定可能で、前記駆動手段は、前記連結部を前記取付孔へ挿入し、前記駆動軸部を前記連結部に連結した状態で、前記開口縁部の外面側から前記駆動固定部分へ前記駆動部を固定可能で、前記風向変更手段の前記ルーバ軸部は、前記連結部を前記取付孔へ挿入した状態で、前記開口縁部の内面から前記連結部に連結可能な構成であることを特徴とする請求項１または２に記載の空気調和装置。
【請求項４】
前記連結部は、前記風向変更手段のルーバ軸部に対して垂直面である板形状の前記連結側バネ固定部分と、前記連結側バネ固定部分から一方側の水平方向へ伸び、前記開口縁部の前記取付孔に挿入可能であると共に、前記ルーバ軸部を連結可能な筒形状の第１の筒部分と、前記連結側バネ固定部分から他方側の水平方向へ伸び、前記駆動手段の前記駆動軸部を連結可能な筒形状の第２の筒部分とからなり、前記バネ部は、らせん状に巻かれたコイル部分と、このコイル部分の一端から直線状に伸びた第１のばね部分と、前記コイル部分の他端から直線状に伸びた第２のばね部分とからなり、前記第１のばね部分の先端には、前記連結側バネ固定部分に引っ掛け可能な第１の引掛部分を備え、前記第２のばね部分の先端には、前記開口縁側バネ固定部分に引っ掛け可能な第２の引掛部分を備え、前記バネ部は、前記コイル部分が前記連結部の前記第２の筒部に装着されると共に、前記連結側バネ固定部分に前記第１の引掛部分を引っ掛けて固定できることを特徴とする請求項１から３のいずれかに記載の空気調和装置。
【請求項５】
前記連結部は、前記連結側バネ固定部分と前記第１の筒部分との間には、前記ルーバ部のルーバ軸部に対して垂直面である扇板形状である当て部分を備え、この当て部分の一部は、前記開口縁部の外周面と接触し、前記開口縁部の外周面には、前記ルーバ部の前記本体ケースにおける前面側が最上点に移動した時に前記当て部分と接触する最上点受け部と、前記ルーバ部の前記本体ケースにおける前面側が最下点に移動した時に前記当て部分と接触する最下点受け部とを有することを特徴とする請求項４に記載の空気調和装置。
【請求項６】
前記ルーバ部の前記本体ケースにおける前面側が最下点に移動した時に前記当て部分と前記最下点受け部とは接触すると共に、前記ルーバ部と前記開口縁部との間には隙間を有することを特徴とする請求項５に記載の空気調和装置。
【発明の詳細な説明】
【技術分野】
【０００１】
本発明は、例えば、風向変更手段によって風向を変化させ送風する加湿機、空気清浄機、除湿機等の空気調和装置に関するものである。
【背景技術】
【０００２】
従来、この種の空気調和装置の構成は以下のようになっていた。
【０００３】
すなわち、上方に開口する送風口を有する本体ケースと、この本体ケース内に設けた空気調和手段と送風手段と、前記送風口から上方へ伸びる筒形状である開口縁部と、この開口縁部に対向するように設けた複数の円形の孔である取付孔と、前記送風口の上方を、所定間隔をおいて覆った回動自在な風向変更手段と、前記風向変更手段の前記本体ケースにおける前面側が上下方向に移動するように往復回動を行う駆動手段と、前記取付孔に回動自在に装着可能であると共に、前記駆動手段と前記風向変更手段とを連結可能な連結部とを設けた構成となっていた（例えば、特許文献１参照）。
【先行技術文献】
【特許文献】
【０００４】
【特許文献１】特許第４８４０１８１号公報
【発明の概要】
【発明が解決しようとする課題】
【０００５】
上記従来例における課題は、空気調和された空気を室内へ更に均一に送風させることであった。
【０００６】
従来の空気調和装置においては、本体ケースの送風口部分に風向変更手段を設け、この風向変更手段をステッピングモーター等の駆動手段により回動させ、送風口からの送風方向を水平方向から垂直上方方向まで角度を変化させている。しかし、風向変更手段と駆動手段とを連結している連結部は、風向変更手段と連結部との間や駆動手段と連結部との間にクリアランスが存在するものである。このクリアランスが存在するため、風向変更手段の自重によって、風向変更手段が加速し、回動途中で回動速度が速くなり、風向変更手段が一定の速度で回動しないため、室内へ均一に送風されないという課題があった。
【０００７】
そこで本発明は、風向変更手段の回動速度を一定にすることにより、空気調和された空気を室内へ更に均一に送風することを目的とするものである。
【課題を解決するための手段】
【０００８】
そして、この目的を達成するために、本発明は、上方に開口する送風口を有する本体ケースと、この本体ケース内に設けた空気調和手段と送風手段と、前記送風口から上方へ伸びる筒形状である開口縁部と、この開口縁部に対向するように設けた複数の円形の孔である取付孔と、前記送風口の上方を、所定間隔をおいて覆った回動自在な風向変更手段と、前記風向変更手段の前記本体ケースにおける前面側が上下方向に移動するように往復回動を行う駆動手段と、前記取付孔に回動自在に装着可能であると共に、前記駆動手段と前記風向変更手段とを連結可能な連結部と、この連結部と前記開口縁部とに固定可能なバネ部とからなり、前記風向変更手段は、板形状のルーバ部と、このルーバ部の前記本体ケースにおける背面側寄りの左右側面側から水平外方へ伸びると共に、前記連結部に連結可能な複数のルーバ軸部とからなり、このルーバ部は、前記送風手段による前記送風口からの送風と前記バネ部によって常に上方向へ回動するように付勢されることを特徴としたものであり、これにより所期の目的を達成するものである。
【発明の効果】
【０００９】
本発明によれば、上方に開口する送風口を有する本体ケースと、この本体ケース内に設けた空気調和手段と送風手段と、前記送風口から上方へ伸びる筒形状である開口縁部と、この開口縁部に対向するように設けた複数の円形の孔である取付孔と、前記送風口の上方を、所定間隔をおいて覆った回動自在な風向変更手段と、前記風向変更手段の前記本体ケースにおける前面側が上下方向に移動するように往復回動を行う駆動手段と、前記取付孔に回動自在に装着可能であると共に、前記駆動手段と前記風向変更手段とを連結可能な連結部と、この連結部と前記開口縁部とに固定可能なバネ部とからなり、前記風向変更手段は、板形状のルーバ部と、このルーバ部の前記本体ケースにおける背面側寄りの左右側面側から水平外方へ伸びると共に、前記連結部に連結可能な複数のルーバ軸部とからなり、このルーバ部は、前記送風手段による前記送風口からの送風と前記バネ部によって常に上方向へ回動するように付勢されることを特徴とする構成にしたものである。
【００１０】
これにより、風向変更手段は、板形状のルーバ部と、このルーバ部の本体ケースにおける背面側寄りの両側面から水平外方へ伸びた複数のルーバ軸部とからなり、このルーバ部は、送風手段による送風口からの送風とバネ部によって常に上方向へ回動するように付勢されるので、風向変更手段と連結部との間や駆動手段と連結部との間にクリアランスが存在する場合にも、風向変更手段の自重によって、風向変更手段が加速し、回動途中で回動速度が速くなることを低減できる。
【００１１】
結果として、風向変更手段の回動速度を一定にすることにより、空気調和された空気を室内へ更に均一に送風することができる。
【図面の簡単な説明】
【００１２】
【図１】本発明の実施の形態１の空気調和装置の斜視図
【図２】同空気調和装置の概略縦断面を示す図
【図３】同空気調和装置の風向変更手段と開口縁部を示す斜視図
【図４】同空気清浄装置の風向調整手段の回動構造を示す斜視図
【図５】同空気清浄装置の風向調整手段の回動構造の断面図
【図６】同空気清浄装置の風向調整手段の回動構造の断面図
【発明を実施するための形態】
【００１３】
（実施の形態１）
図１および図２に示すように、本実施形態の空気調和装置は、吸気口１と送風口２を有する本体ケース３と、この本体ケース３内に設けられた空気調和手段の１例である空気清浄手段４と、送風手段５と、制御手段６と、操作部７と、風向変更手段８を備えている。
【００１４】
本体ケース３は、縦長四角箱形状で、本体ケース３の前面部の下部に吸気口１を備え、本体ケース３の天面部３８の背面側に上方に開口する横長四角形状の送風口２を設けている。
【００１５】
空気清浄手段４は、本体ケース３の吸気口１近傍に設けられ、一例としては、空気清浄フィルタである。プリーツ形状の濾材部（図示せず）と、この濾材部を固定する四角筒形状の枠部（図示せず）とから形成している。この濾材部を空気が通過すると、空気中の粉塵等が捕集されるものである。なお、空気調和手段は、加湿手段、除湿手段でもよい。
【００１６】
送風手段５は、空気清浄手段４と本体ケース３の送風口２との間の風路に位置し、ケーシング部９と、モーター部１０と、ファン部１１とから形成している。ケーシング部９は、スクロール形状で、側面に円形状の吸込口１２を備え、上面に横長四角形状の吐出口１３を設けている。このケーシング部９には、モーター部１０が固定されている。このモーター部１０の軸部１４には、遠心送風タイプのファン部１１が固定されている。モーター部１０によってファン部１１が回転すると、本体ケース３外の空気が、吸気口１から本体ケース３内に吸気され、空気清浄手段４、送風手段５とを順次介して、ファン部１１から上方の送風口２へと送風されるものである。
【００１７】
操作部７は、本体ケース３の天面の送風口２より前面側に位置し、この操作部７の下方には、制御手段６を備えている。この制御手段６は、操作部７からの入力により、送風手段５と風向変更手段８とを制御するものである。
【００１８】
送風口２には、送風口２から下方へ伸びる筒形状である開口縁部１５を備えている。開口縁部１５は、本体ケース３における左右方向に長い長方形の筒形状である。この開口縁部１５において対向する短手側面、つまり本体ケース３における左右方向の側面には、複数の円形の孔である取付孔１６を対向するように設けている。（図５参照）これらの取付孔１６は、本体ケース３における左右水平方向に開口している。開口縁部１５の下開口には、複数の開口を有する格子部３７を備えている。なお、本体ケース３の天面部３８と開口縁部１５とは、一体で構成し、本体ケース３と分離可能な構成である。
【００１９】
図３から図６に示すように、開口縁部１５には、風向変更手段８と、駆動手段１７と、連結部１８と、バネ部１９とを備えている。
【００２０】
風向変更手段８は、送風口２を覆うように設け、取付孔１６に回動自在に装着されている。風向変更手段８は、板形状のルーバ部２０と、このルーバ部２０の本体ケース３における背面側寄りの左右側面側から水平外方へ伸びた複数のルーバ軸部２１とからなる。
【００２１】
駆動手段１７は、風向変更手段８、つまりルーバ部２０の本体ケース３における前面側を上下方向に移動するように往復回動をさせるものである。駆動手段１７は、駆動部２２と、この駆動部２２から伸びた駆動軸部２３とからなる。駆動部２２によって駆動軸部２３が往復回動する。
【００２２】
連結部１８は、取付孔１６に回動自在に装着可能であり、駆動手段１７と風向変更手段８とを連結可能な構成である。連結部１８は、駆動手段１７の駆動軸部２３と風向変更手段８の一方側のルーバ軸部２１とを連結可能な構成である。そして、バネ部１９を固定できる連結側バネ固定部分２６を有している。
【００２３】
バネ部１９は、連結部１８と開口縁部１５とに固定可能な構成である。
【００２４】
開口縁部１５の外周面、つまり本体ケース３における左右側の周面の外面には、バネ部１９を固定できる開口縁側バネ固定部分２４と、駆動部２２を固定する駆動固定部分２５とを備えている。駆動部２２は、ねじによって駆動固定部分２５に固定可能である。
【００２５】
本実施形態における特徴は、風向変更手段８の回転中心であるルーバ軸部２１が、ルーバ部２０の本体ケース３における背面側寄りの左右側面側に位置し、ルーバ部２０が、送風手段５による送風口２からの送風と、バネ部１９によって常に上方向へ回動するように付勢される点である。
【００２６】
これにより、ルーバ部２０は、送風手段５による送風口２からの送風と、バネ部１９によって常に上方向へ回動するように付勢されるので、風向変更手段８と連結部１８との間や、駆動手段１７と連結部１８との間にクリアランスが存在する場合にも、風向変更手段８の自重によって、風向変更手段８が加速し、回動途中で回動速度が速くなることを低減できる。
【００２７】
結果として、風向変更手段８の回動速度を一定にすることにより、空気調和された空気を室内へ更に均一に送風することができる。
【００２８】
また、ルーバ部２０が、送風手段５による送風口２からの送風と、バネ部１９によって常に上方向へ回動するように付勢される。すなわち、ルーバ部２０が、送風手段５による送風口２からの送風によって付勢される方向と、バネ部１９によって付勢される方向とが同じ方向であり、ルーバ部２０の自重を、送風手段５による送風口２からの送風と、バネ部１９によって支えるので、バネ部１９のよる上方向へ回動する回転力を小さくできる。
【００２９】
また、連結部１８は、バネ部１９を連結側バネ固定部分２６に固定した状態で開口縁部１５の外面側から取付孔１６へ挿入可能である。バネ部１９は、連結側バネ固定部分２６に固定した状態で開口縁部１５の外面側から開口縁側バネ固定部分２４へ固定可能である。駆動手段１７は、連結部１８を取付孔１６へ挿入し、駆動軸部２３を連結部１８に連結した状態で開口縁部１５の外面側から駆動固定部分２５へ駆動部２２を固定可能である。風向変更手段８のルーバ軸部２１は、連結部１８を取付孔１６へ挿入した状態で開口縁部１５の内面から連結部１８に連結可能である。
【００３０】
具体的には、連結部１８は、連結側バネ固定部分２６と、第１の筒部分２７と、第２の筒部分２８とからなる。
【００３１】
連結側バネ固定部分２６は、風向変更手段８のルーバ軸部２１に対して垂直面である縦長の板形状である。
【００３２】
第１の筒部分２７は、連結側バネ固定部分２６から一方側、つまり本体ケース３における内方側の水平方向へ伸びた筒形状である。第１の筒部分２７の外周面が、開口縁部１５の取付孔１６の内面に一部接触するように挿入可能である。これにより、第１の筒部分２７は取付孔１６に回動自在に装着できる。第１の筒部分２７の内周面には、ルーバ軸部２１の外面が接触するように挿入可能である。
【００３３】
第２の筒部分２８は、連結側バネ固定部分２６から他方側、つまり本体ケース３における外方側の水平方向へ伸びた筒形状である。第２の筒部分２８の内周面には、駆動手段１７の駆動軸部２３の外面が接触するように挿入可能である。
【００３４】
バネ部１９は、らせん状に巻かれたコイル部分２９と、このコイル部分２９の一端から直線状に伸びた第１のばね部分３０と、コイル部分２９の他端から直線状に伸びた第２のばね部分３１とからなる。バネ部１９にテンションがかからない状態では、第１のばね部分３０と第２のばね部分３１とは平行になる。第１のばね部分３０と第２のばね部分３１とがコイル部分２９を挟むように、第１のばね部分３０の先端と前記第２のばね部分３１の先端とが接近すると、コイル部分２９によって第１のばね部分３０の先端と前記第２のばね部分３１の先端とが離れる方向へ力が発生する。第１のばね部分３０の先端には、連結側バネ固定部分２６に引っ掛け可能な第１の引掛部分３２を備え、第２のばね部分３１の先端には、開口縁側バネ固定部分２４に引っ掛け可能な第２の引掛部分３３を備えている。バネ部１９は、コイル部分２９が連結部１８の第２の筒部分２８に装着し、この状態で、連結側バネ固定部分２６に第１の引掛部分３２を引っ掛けて固定できる。
【００３５】
以上の構成により、開口縁部１５に、バネ部１９と、連結部１８と、駆動手段１７と、風向変更手段８とを以下の順序で装着可能となる。
【００３６】
まず、バネ部１９を連結側バネ固定部分２６に固定した状態で、連結部１８を開口縁部１５の外面側から取付孔１６へ挿入する。次に、バネ部１９を、連結側バネ固定部分２６に固定した状態で開口縁部１５の外面側から開口縁側バネ固定部分２４へ固定する。そして、連結部１８を取付孔１６へ挿入し、駆動軸部２３を連結部１８に連結した状態で、開口縁部１５の外面側から駆動固定部分２５へ駆動部２２を固定する。最後に、連結部１８を取付孔１６へ挿入した状態で、開口縁部１５の内面から、風向変更手段８のルーバ軸部２１を連結部１８に連結する。
【００３７】
すなわち、開口縁部１５の外面側からの作業終了後に、開口縁部１５の内面からの作業となるので、組立作業時の取り付け方向の変化が少なく、組立作業性が向上する。
【００３８】
また、連結部１８は、連結側バネ固定部分２６と第１の筒部分２７との間には、ルーバ部２０のルーバ軸部２１の軸方向に対して垂直面で扇板形状である当て部分３４を備えている。連結部１８を取付孔１６へ装着すると、この当て部分３４の一部は、開口縁部１５の外周面と接触する。開口縁部１５の外周面には、外周面から突出した突起である最上点受け部３５と最下点受け部３６とを備えている。最上点受け部３５は、ルーバ部２０が回動し、ルーバ部２０の本体ケース３における前面側が最上点に移動した時に当て部分３４と接触する。これにより、ルーバ部２０が開く方向への回動が停止する。最下点受け部３６は、ルーバ部２０が回動し、ルーバ部２０の本体ケース３における前面側が最下点に移動した時に当て部分３４と接触する。これにより、ルーバ部２０が閉じる方向への回動が停止する。
【００３９】
すなわち、連結部１８の当て部分３４は、開口縁部１５の外周面、つまり本体ケース３内に設けられているので、ルーバ部２０の往復回動時に発生する、当て部分３４と、最上点受け部３５と最下点受け部３６との接触音を低減できる。
【００４０】
また、ルーバ部２０の本体ケース３における前面側が最下点に移動した時に当て部分と最下点受け部３６とは接触すると共に、ルーバ部２０と開口縁部１５との間には隙間を有するものである。
【００４１】
すなわち、ルーバ部２０が閉じる方向への回動し、停止する場合に、ルーバ部２０と開口縁部１５と接触しないので、ルーバ部２０での接触音を無くすことができる。
【産業上の利用可能性】
【００４２】
本発明にかかる空気清浄装置は、本発明によれば、上方に開口する送風口を有する本体ケースと、この本体ケース内に設けた空気調和手段と送風手段と、前記送風口から上方へ伸びる筒形状である開口縁部と、この開口縁部に対向するように設けた複数の円形の孔である取付孔と、前記送風口の上方を、所定間隔をおいて覆った回動自在な風向変更手段と、前記風向変更手段の前記本体ケースにおける前面側が上下方向に移動するように往復回動を行う駆動手段と、前記取付孔に回動自在に装着可能であると共に、前記駆動手段と前記風向変更手段とを連結可能な連結部と、この連結部と前記開口縁部とに固定可能なバネ部とからなり、前記風向変更手段は、板形状のルーバ部と、このルーバ部の前記本体ケースにおける背面側寄りの左右側面側から水平外方へ伸びると共に、前記連結部に連結可能な複数のルーバ軸部とからなり、このルーバ部は、前記送風手段による前記送風口からの送風と前記バネ部によって常に上方向へ回動するように付勢されることを特徴とする構成にしたものである。
【００４３】
これにより、風向変更手段は、板形状のルーバ部と、このルーバ部の本体ケースにおける背面側寄りの両側面から水平外方へ伸びた複数のルーバ軸部とからなり、このルーバ部は、送風手段による送風口からの送風とバネ部によって常に上方向へ回動するように付勢されるので、風向変更手段と連結部との間や駆動手段と連結部との間にクリアランスが存在する場合にも、風向変更手段の自重によって、風向変更手段が加速し、回動途中で回動速度が速くなることを低減できる。
【００４４】
結果として、風向変更手段の回動速度を一定にすることにより、空気調和された空気を室内へ更に均一に送風することができる。
【００４５】
従って、家庭用や事務用などの、空気清浄装置等としての活用が期待されるものである。
【符号の説明】
【００４６】
１  吸気口
２  送風口
３  本体ケース
４  空気清浄手段
５  送風手段
６  制御手段
７  操作部
８  風向変更手段
９  ケーシング部
１０  モーター部
１１  ファン部
１２  吸込口
１３  吐出口
１４  軸部
１５  開口縁部
１６  取付孔
１７  駆動手段
１８  連結部
１９  バネ部
２０  ルーバ部
２１  ルーバ軸部
２２  駆動部
２３  駆動軸部
２４  開口縁側バネ固定部分
２５  駆動固定部分
２６  連結側バネ固定部分
２７  第１の筒部分
２８  第２の筒部分
２９  コイル部分
３０  第１のばね部分
３１  第２のばね部分
３２  第１の引掛部分
３３  第２の引掛部分
３４  当て部分
３５  最上点受け部
３６  最下点受け部
３７  格子部
３８  天面部
【図１】
2014190609.tif 000003
【図２】
2014190609.tif 000004
【図３】
2014190609.tif 000005
【図４】
2014190609.tif 000006
【図５】
2014190609.tif 000007
【図６】
2014190609.tif 000008